(57)【要約】【課題】  着座者の体型や姿勢に応じて適宜フットサポートプレートを適正位置に調整できるフットサポート装置を提供する。【解決手段】  本発明に係わるフットサポート装置は、シートの前方の車体フロア部分に形成された収容部１に前後にスライドするスライド体３が設けられ、スライド体３にカーペットにより被覆されかつ着座者の足部を支持するフットサポートプレート１７が設けられ、フットサポートプレート１７とスライド体３との間にフットサポートプレート１７の持ち上げ角度を調整する角度調整機構９、１２、１３、２２、２３が設けられている。【選択図】  図２
2005255084.tif 000002
【特許請求の範囲】
【請求項１】
シートの前方の車体フロア部分に形成された収容部に前後にスライドするスライド体が設けられ、該スライド体にカーペットにより被覆されかつ着座者の足部を支持するフットサポートプレートが設けられ、該フットサポートプレートと前記スライド体との間に前記フットサポートプレートの持ち上げ角度を調整する角度調整機構が設けられていることを特徴とするフットサポート装置。
【請求項２】
前記フットサポートプレートの前方へのスライドに伴って前記カーペットを支持する蛇腹式支持板を進出・退避させる進出・退避機構が設けられていることを特徴とする請求項１に記載のフットサポート装置。
【発明の詳細な説明】
【技術分野】
【０００１】
本発明は、着座者の脚を乗せるフットサポート装置の改良に関する。
【背景技術】
【０００２】
従来から、フットサポート装置には、シートクッションの前部にフットサポートプレートを取り付け、着座者の脚部のふくらはぎをサポートする構成のものが知られている（例えば、特許文献１参照。）。
【０００３】
また、従来から、フットサポート装置には、シートの前方の車体フロア部分の下部にフットサポート格納機構を設け、リンク機構によりフットサポートプレートを持ち上げて、フットサポートの角度調整を行うことができるようにした構成のものも知られている（例えば、特許文献２参照。）。
【特許文献１】実公平１−３１０８８号公報
【特許文献２】実公平５−４２９１６号公報
【発明の開示】
【発明が解決しようとする課題】
【０００４】
ところで、実公平１−３１０８８号公報に開示のフットサポート装置では、着座者の脚部のふくらはぎのみを支持して足を休める構造であり、足先部分が中空に浮いた状態で支持されるため、高速走行やワインディング走行時、急制動時に、踏ん張りが効かず、安定して座った姿勢を維持できない等の不都合があり、足首を適正な角度に保つことができないため、着座者が疲れ易さを感じるという問題がある。
【０００５】
また、実公平５−４２９１６号公報に開示のものでは、着座者の体型やその姿勢によってフットサポートプレートの位置を調整し難い不都合がある。
【０００６】
本発明は、上記の事情に鑑みて為されたもので、着座者の体型や姿勢に応じて適宜フットサポートプレートを適正位置に調整できるフットサポート装置を提供することを目的とする。
【課題を解決するための手段】
【０００７】
請求項１に記載のフットサポート装置は、シートの前方の車体フロア部分に形成された収容部に前後にスライドするスライド体が設けられ、該スライド体にカーペットにより被覆されかつ着座者の足部を支持するフットサポートプレートが設けられ、該フットサポートプレートと前記スライド体との間に前記フットサポートプレートの持ち上げ角度を調整する角度調整機構が設けられていることを特徴とする。
【０００８】
請求項２に記載のフットサポート装置は、前記フットサポートプレートの前方へのスライドに伴って前記カーペットを支持する蛇腹式支持板を進出・退避させる進出・退避機構が設けられていることを特徴とする。
【発明の効果】
【０００９】
請求項１に記載の発明によれば、着座者の体型や姿勢に応じて適宜フットサポートプレートを適正位置に調整できる。
【００１０】
例えば、高速走行やワインディング走行時、急制動時に、踏ん張りを効かすことができ、安定して座った姿勢を維持でき、着座者の快適性を向上させることができる。
【００１１】
また、カーペットで収容部が被覆されているので、見栄えを損なうこともないという効果を奏する。
【００１２】
請求項２に記載の発明によれば、フットサポートプレートの前方へのスライドに伴って蛇腹式支持板が進出してカーペットを支持するするので、フットサポートプレートの前方へのスライドに伴うカーペットの凹みを防止できる。
【発明を実施するための最良の形態】
【００１３】
以下に、本発明の実施の形態に係わるフットサポート装置の実施例を図面を参照しつつ説明する。
【実施例】
【００１４】
図１は本発明に係わるフットサポート装置の平面図を示し、図２は本発明に係わるフットサポート装置の側面図を示している。
【００１５】
その図１、図２において、１はシート前方の車体フロア部分に形成された収容部である。その収容部１の底部には車両前後方向に延びる一対のガイドレール２、２が車幅方向に間隔を開けて設けられている。
【００１６】
その収容部１にはフットサポート装置の一部を構成するスライド体３が設けられている。このスライド体３にはその車幅方向両側部にブラケット４が設けられ、このブラケット４にはガイドレール２、２上を摺動するローラ５が設けられている。
【００１７】
スライド体３の車幅方向一側の下部には駆動モータ６が取り付けられ、駆動モータ６の出力軸７にはガイドレール２上を摺動するローラ８が設けられている。そのスライド体３は駆動モータ６を駆動することにより車両前後方向にスライドされる。
【００１８】
そのスライド体３の上部には駆動モータ９と軸受け部材１０と支持ブラケット１１とが設けられている。その駆動モータ９の出力軸にはネジ付きロッド１２が取り付けられ、このネジ付ロッド１２の先端部は軸受け部材１０に回転可能に支承されている。そのネジ付ロッド１２にはナット状部材１３が螺合されている。
【００１９】
ナット状部材１３の上部には一対の支持部１４が立設されている。その一対の支持部１４には回転軸１５が支承されている。そのナット状部材１３は駆動モータ９を駆動することによりネジ付きロッド１２の長手方向に前後動される。そのナット状部材１３は駆動モータ９、ネジ付きロッド１２、後述するジャッキ機構と共にフットサポートプレート１７の持ち上げ角度を調整する角度調整機構を構成している。
【００２０】
支持ブラケット１１には支持軸１６が設けられている。フットサポートプレート１７は着座者の足部を支持し、車体フロア部分に敷設されたカーペット１８の下側に設けられている。その収容部１はそのカーペット１８によって被覆され、フットサポート装置は外側から見えないようにされている。そのカーペット１８には、伸縮性を有する材料のものが用いられ、例えば、ストレッチ素材を用いる。
【００２１】
そのフットサポートプレート１７の後端部の下部には支持ブラケット１９が設けられ、この支持ブラケット１９には支持軸１６が取り付けられている。フットサポートプレート１７はこの支持軸１６を中心にして上下方向に傾動される。
【００２２】
そのフットサポートプレート１７の前後方向途中部分の下部にはジャッキ機構の一部を構成する一対の支持ブラケット２０が設けられている。軸受け部材１０には一対の支持部１０ａ、１０ａが設けられている。その一対の支持部１０ａ、１０ａには回動軸１０ｂが回転可能に設けられている。一対の支持ブラケット２０には回動軸２１が回転可能に支承されている。
【００２３】
回動軸２１と回動軸１５との間には連結板２２が設けられている。回動軸２１と回動軸１０ｂとの間には連結板２３が設けられている。ナット状部材１３がネジ付ロッド１２の先端方向に移動すると、連結板２２、２３が互いに接近して、フットサポートプレート１７が持ち上げられる。ナット状部材１３がネジ付ロッド１２の後端方向に移動すると、連結板２２、２３が互いに離反して、フットサポートプレート１７が下降される。これにより、フットサポートプレート１７の持ち上げ角度が調整され、カーペット１８が伸張、収縮されて、フットサポート部が着座者の体型や好みに応じて適宜の角度に設定される。
【００２４】
収容部１の周囲には硬質ウレタン部材２４が敷き詰められ、その収容部１の後部側には、スライドレールマウント部材２５が設けられている。そのスライドレールマウント部材２５の上部には、車両前後方向に長く延びると共に下方に湾曲して延びる一対のスライドレール２６が設けられている。
【００２５】
このスライドレール２６は蛇腹式支持板２７を案内する役割を有し、この蛇腹式支持板２７の最前部の支持板はフットサポートプレート１７の後端に連結具２８を用いて取り付けられている。この連結具２８にはフットサポートプレート１７の回動の邪魔にならない構造のものであれば、市販の連結部品を用いることができる。
【００２６】
蛇腹式支持板２７には、図３、図４に拡大して示すように、支持部２９が設けられ、支持部２９には支持軸３０が回動可能に設けられ、この支持軸３０には一対のローラ３１が取り付けられている。これらの支持部２９、支持軸３０、一対のローラ３１、スライドレール２６は、フットサポートプレート１７の前方へのスライドに伴ってカーペット１８を支持する蛇腹式支持板２７を進出・退避させる進出・退避機構の一部を構成し、フットサポートプレート１７が前方へ移動されたとき、フットサポートプレート１７が接触していたカーペット部分に蛇腹式支持板２７が進出して下からカーペット部分を支えるので、蛇腹式支持板２７がないとしたときのカーペット１８の凹みを防止できる。
【００２７】
その蛇腹式支持板２７はフットサポートプレート１７の後方へのスライドに伴ってスライドレール２６上を摺動し、スライドレールマウント部材２５と硬質ウレタン部材２４との間の収容空間に引き込まれる。
【図面の簡単な説明】
【００２８】
【図１】本発明に係わるフットサポート装置の平面図である。
【図２】本発明に係わるフットサポート装置の側面図である。
【図３】図１に示すスライドレールと蛇腹式支持板との部分拡大図である。
【図４】図３の矢印Ａ−Ａ線に沿う断面図である。
【符号の説明】
【００２９】
１…収容部
３…スライド体
９…駆動モータ（角度調整機構）
１２…ネジ付きロッド（角度調整機構）
１３…ナット状部材（角度調整機構）
２２、２３…連結板（角度調整機構）
１７…フットサポートプレート
【図１】
2005255084.tif 000003
【図２】
2005255084.tif 000004
【図３】
2005255084.tif 000005
【図４】
2005255084.tif 000006